(57)【特許請求の範囲】
【請求項１】
遊技動体の払出しに使用し、認証に必要な書き換えできない被認証情報と書き換えできる被認証情報とを記録した情報記録媒体に対して情報処理する情報記録媒体処理装置と、
前記情報記録媒体の書き換えできない被認証情報と既登録の認証に必要な書き換えできない情報との比較判定に基づいて該情報記録媒体の認証可否を判定する認証処理を実行して該情報記録媒体を管理する情報管理装置とを、
中継機を介して情報通信が可能に接続した遊技情報管理システムであって、
前記中継機に、情報記録媒体の認証に必要な書き換えできない情報と書き換えできる情報とを登録する登録部と、該登録部に登録された書き換えできない情報及び書き換えできる情報に対する情報記録媒体の書き換えできない被認証情報及び書き換えできる被認証情報の比較判定に基づいて認証処理を実行する判定部を備え、
前記情報記録媒体処理装置から中継機を介して送信された情報記録媒体の書き換えできない被認証情報に基づき情報管理装置が認証処理を実行して該情報記録媒体を認証したとき、該情報記録媒体の認証に必要な書き換えできない情報と書き換えできる情報とを中継した中継機の登録部に登録し、該情報記録媒体の２回目以降の使用時に該中継機で該情報記録媒体の認証処理を実行する
遊技情報管理システム。
【請求項２】
遊技動体の払出しに使用し、認証に必要な書き換えできない被認証情報と書き換えできる被認証情報とを記録した情報記録媒体に対して情報処理する情報記録媒体処理装置と、
前記情報記録媒体の書き換えできない被認証情報と既登録の認証に必要な書き換えできない情報との比較判定に基づいて該情報記録媒体の認証可否を判定する認証処理を実行して該情報記録媒体を管理する情報管理装置とを、
情報通信が可能に介して接続する中継機であって、
前記中継機に、情報記録媒体の認証に必要な書き換えできない情報と書き換えできる情報とを登録する登録部と、該登録部に登録された書き換えできない情報及び書き換えできる情報に対する情報記録媒体の書き換えできない被認証情報及び書き換えできる被認証情報の比較判定に基づいて認証処理を実行する判定部を備え、
前記情報記録媒体処理装置から中継機を介して送信された情報記録媒体の書き換えできない被認証情報に基づき情報管理装置が認証処理を実行して該情報記録媒体を認証したとき、該情報記録媒体の認証に必要な書き換えできない情報と書き換えできる情報とを中継した中継機の登録部に登録し、該情報記録媒体の２回目以降の使用時に該中継機で該情報記録媒体の認証処理を実行する
中継機。
【請求項３】
前記情報記録媒体処理装置を遊技動体を払出す台間機に備えた
請求項１または２に記載の遊技情報管理システムまたは中継機。
【請求項４】
前記情報記録媒体処理装置を、情報記録媒体を発行する発行機または／および情報記録媒体の価値を精算する精算機に備えた
請求項１または２に記載の遊技情報管理システムまたは中継機。
【発明の詳細な説明】
【０００１】
【発明が属する技術分野】
この発明は、例えば、パチンコ遊技場（遊技ホール）において、パチンコあるいはパチスロ（スロットルマシン）などの遊技機に使用されるパチンコ玉やメダルのような遊技動体を借り受ける時、代金をプリペード方式にしたカードやＩＣコインを先に発行し、このカードやＩＣコインで遊技動体を払出す場合に有効な遊技情報管理システムおよび中継機に関する。
【０００２】
【従来の技術】
従来、パチンコ遊技場では、現金の管理を容易化するために、プレーヤにプリペードカードを発行し、該カードを遊技機に隣設した台間機（遊技動体払出し機）に投入して、パチンコ玉やメダルなどの遊技動体を払出して遊技を行うシステムを導入している。
【０００３】
上述のシステムにおいて、プリペードカードが偽造されて不正使用されることを未然に防止するために、プリペードカードに該カードが本物であることの認証を受けるためにシリアルデータ（ユニーク番号）、ＩＤコード、ホールコードなどの被認証情報を記憶しておき、該プリペードカードが台間機に投入されると、上述の被認証情報を読取り、この情報をセンタの遊技情報管理装置（ホストコンピュータで構成）に送信して、該管理装置で真偽の判定を行って認証を行い、認証が受けられたとき該プリペードカードの使用が許容されるように構成している。
【０００４】
上述の遊技情報管理装置は１台で全カードを統括して管理するようにシステムが構築されているので、例えば、遊技場の開店時、あるいは繁盛時に、多くのプレーヤ（遊技者）が集中してカードを投入すると、前述の認証処理が集中し、認証結果が返信されるまでに時間がかかり、プレーヤが待たされるという問題点が生じる。
【０００５】
【発明が解決しようとする課題】
この発明は、上述したパチンコ玉やコインなどの遊技動体の払出しに使用する情報記録媒体に対する遊技情報を管理する管理装置の認証処理の処理負担を低減して、認証処理結果が速やかに得られて、プレーヤに認証処理時間待ちや違和感を感じさせることのない遊技情報管理システムおよび中継機の提供を目的とする。
【０００６】
【課題を解決するための手段】
この発明は、遊技動体の払出しに使用し、認証に必要な書き換えできない被認証情報と書き換えできる被認証情報とを記録した情報記録媒体に対して情報処理する情報記録媒体処理装置と、前記情報記録媒体の書き換えできない被認証情報と既登録の認証に必要な書き換えできない情報との比較判定に基づいて該情報記録媒体の認証可否を判定する認証処理を実行して該情報記録媒体を管理する情報管理装置とを、中継機を介して情報通信が可能に接続した遊技情報管理システムであって、前記中継機に、情報記録媒体の認証に必要な書き換えできない情報と書き換えできる情報とを登録する登録部と、該登録部に登録された書き換えできない情報及び書き換えできる情報に対する情報記録媒体の書き換えできない被認証情報及び書き換えできる被認証情報の比較判定に基づいて認証処理を実行する判定部を備え、前記情報記録媒体処理装置から中継機を介して送信された情報記録媒体の書き換えできない被認証情報に基づき情報管理装置が認証処理を実行して該情報記録媒体を認証したとき、該情報記録媒体の認証に必要な書き換えできない情報と書き換えできる情報とを中継した中継機の登録部に登録し、該情報記録媒体の２回目以降の使用時に該中継機で該情報記録媒体の認証処理を実行する遊技情報管理システムまたは中継機であることを特徴とする。
【０００７】
前述情報記録媒体は、例えば、データ送受信用のアンテナ、モデム、データの記憶部を備えたＩＣコインのような記録情報の書換えの情報処理が可能な媒体を使用し、２回目以降の使用では代金の投入に基づいて価値情報を更新し、再利用が可能な媒体で構成することができる。
【０００８】
前記情報記録媒体の認証に必要な書き換えできない被認証情報は、例えば、シリアルデータ（ユニーク番号、または固有情報）、遊技場を特定するホールコードなどであって、そのうちの１つあるいは複数の情報で構成することができる。
一方、前記情報記録媒体の認証に必要な書き換えできる被認証情報は、例えば、金額（度数）、日付、当日ＩＤコード、書込み回数、島番号などであって、そのうちの１つあるいは複数の情報で構成することができる。
【０００９】
前記情報記録媒体処理装置は、遊技機に隣設され遊技動体を払出す台間機、情報記録媒体を発行する発行機、さらに、記録媒体の価値を精算する精算機に備えることができる。
【００１０】
情報管理装置における既登録の認証に必要な書き換えできない情報は、例えば、シリアルデータ（ユニーク番号、または固有情報）、遊技場を特定するホールコードなどであって、そのうちの１つあるいは複数の情報で構成することができる。
中継機に接続される情報記録媒体処理装置は１台または複数台、多数台で構成することができ、また、中継機に接続される情報管理装置は１台または複数台で構成することができる。
また、前記情報記録媒体の認証に必要な書き換えできる情報は、例えば、金額（度数）、日付、当日ＩＤコード、書込み回数、島番号などであって、そのうちの１つあるいは複数の情報で構成することができる。
【００１１】
この発明によれば、遊技動体の払出しに使用する情報記録媒体の初回の使用では、中継機に認証処理を実行するための必要な情報が登録されていないので、情報管理装置側で認証処理を実行するが、この処理で認証されると、認証した情報記録媒体の認証に必要な情報を中継した中継機の登録部に登録することによって、２回目以降の使用時には該中継機の判定部で認証処理して、情報管理装置での認証処理をなくすことができる。
【００１２】
【発明の効果】
この発明によれば、遊技動体の払出しに使用する情報記録媒体の認証処理を中継機で実行することにより、該認証処理が迅速化され、また、情報管理装置の処理負担を低減させることができる。
【００１３】
【発明の実施の形態】
この発明の一実施の形態を以下図面と共に説明する。
図面は、遊技情報管理システムを示し、図１において、遊技情報を管理する遊技情報を管理するホストコンピュータ１０に対して、複数の島Ａ１，Ａ２の遊技機１１（パチンコ遊技台１１ａ、スロットル（パチスロ）遊技台１１ｂ）の一側に隣設した台間機１２（パチンコ用台間機１２ａ、スロットル用台間機１２ｂ）がケーブル１３、通信を中継する中継機１４を介して、データの送受信が可能に接続し、また、ＩＣコイン発行機１５、およびＩＣコイン精算機１６もケーブル１３、中継機１４を介してデータの送受信が可能に接続している。また、上述のホストコンピュータ１０は他のシステム、例えば、営業管理用のホストコンピュータに接続することができる。
【００１４】
上述のパチンコ遊技台１１ａはパチンコ球を遊技動体として遊技し、また、スロットル遊技台１１ｂはメダルを遊技動体として遊技することは周知の通りである。
【００１５】
台間機１２は、パチンコ球またはメダルなどの遊技機１１（１１ａ，１１ｂ）に対応した遊技動体を払出し、この遊技動体の払出し用媒体としてＩＣコイン（後述する）を設定している。
【００１６】
上述のＩＣコインは台間機１２に現金を投入することにより発行して、この発行したＩＣコインを使用することができると共に、前述のＩＣコイン発行機１５で発行したＩＣコインを使用することもできる。
【００１７】
なお、島Ａ１，Ａ２の端部には、遊技機１１に投入した現金（紙幣）を回収し、また、遊技機１１にプールしたＩＣコインがオーバフーロした場合、これを回収する回収機１７を配設している。なお、上述した各島Ａ１，Ａ２の端部にも、前述のＩＣコイン発行機１５を設置することができる。
【００１８】
前述のＩＣコイン発行機１５は、前述のＩＣコイン、すなわち、遊戯機１１における遊技動体（パチンコ球またはメダル）の払出し用媒体として使用するＩＣコイン（後述する）を発行し、この発行は現金（貨幣）の投入に基づいて、該現金の金額（価値）に対応する金額（価値）のデータをＩＣコインに記録して放出する。
【００１９】
前述のＩＣコイン精算機１６は、プレーヤが遊技を止めた際、使用したＩＣコインに残価値がある場合、ＩＣコインを投入してその残価値分の現金（貨幣）を放出することにより、ＩＣコインの価値を精算する。
【００２０】
図２、図３に示すように、前述のＩＣコイン２０は、全体形状（外観）を合成樹脂で偏平な円盤状、つまりコイン状に形成し、表裏両面は印刷面に設定して、例えば、定額の「１０００円」の金額価値を示す文字を印刷（または刻設）している。なお、金額価値はこれに限定されるものではない。
【００２１】
また、ＩＣコイン２０の内部には、ＩＣモジュウル２１を内蔵している。
【００２２】
図４は、上述のＩＣモジュウル２１に形成される回路構成を示し、ＣＰＵ２２はＲＯＭ２３に格納されたプログラムに沿って、各回路装置を駆動制御し、ＲＡＭ２４は動作に必要なデータを記憶する。不揮発性で消去・再書込み可能なＥＥＰＲＯＭ２５は価値データなど必要なデータを記録する。また、モデム（変復調器）２６とアンテナ２７とにより通信手段を構成しており、この通信手段により台間機１２、ＩＣコイン発行機１５，ＩＣコイン精算機１６に投入されたときそれぞれの本体側の通信手段（ＩＣコンイリーダライタ）と非接触状態でデータの送受信が可能である。電源回路２８はアンテナ２７に信号を受信したときの起電力により電力を発生して、各回路に供給している。
【００２３】
図５は、上述のＥＥＰＲＯＭ２５の記録エリアに記録されるデータを示し、記録エリアはデータの書換えが不可能なシステムエリアと、データの書換えが可能なデータエリアとを設定し、
システムエリアには、  ユニーク番号、      ホール番号、
データエリアには、    金額（または度数）、日付（発行日）、
当日ＩＤコード、    書込み回数、    島番号、
のデータを記録している。
【００２４】
上述のシステムエリアのユニーク番号データは、各ＩＣコインに割り当たられたシリアル番号で、大きな桁数で設定することができるので、他のＩＣコインと番号が重合することが避けられ、このユニーク番号を固有情報として管理することで不正使用を防止することができる。また、システムエリアのホール番号データは、ＩＣコイン２０の使用を可能にした遊技ホールを示す番号（またはホールコトード）であって、これらの番号を遊技ホールごとに対応させて管理することにより信頼性のあるセキュリティが得られる。
【００２５】
前述のデータエリアの金額は、発行時に投入された貨幣の金額データであり、日付データはＩＣコイン２０に金額データを記録して発行した発行日、当日ＩＤコードは、当日のみ有効なＩＤコードであり、書込み回数データは、データを書込んだ回数データであり、島番号はＩＣコイン２０を販売した台間機１２およびＩＣコイン発行機１５が存在する島Ａ１，Ａ２のコードであって、これらのデータは使用のたびに書換えられる。
【００２６】
なお、金額のデータに替えて、可能な払出しの回数を示す度数データを価値データとすることもできる。当日ＩＤコードを管理することにより不正使用を防止することができる。また、書込み回数はＩＣコインの使用限界を設定したときこの回数で規制することができる。
【００２７】
図６は、台間機１２の制御回路ブロック図を示し、パチンコ用台間機１２ａとスロットル用台間機１２ｂとは払出しの対象である遊技動体がパチンコ球とメダルとの違いであって、ＩＣコイン２０の処理は同一であるため、総合して説明する。
【００２８】
すなわち、台間機１２を駆動制御する制御部３０は、各種の制御処理、演算処理を実行するＣＰＵ３１、各種の制御処理を行わせるためのプログラム、当日ＩＤコード、暗号化ロジックなどのセキュリティデータなどの必要なデータを記憶し不揮発性で書換え可能なフラッシュＲＯＭ３２、動作に必要なデータを記憶するＲＡＭ３３、外部と通信可能に接続する通信インターフェース３４、各回路装置に対して入出力を接続するＩ／Ｏインターフェース３５により構成している。
【００２９】
上述の制御部３０には、次ぎの回路装置が接続される。すなわち、表示装置３６は、使用されたＩＣコイン２０に記録されている価値データであり、金額または度数を表示する。ＩＣコイン処理装置３７はＩＣコイン２０の投入を受入れてこれを読取り位置で保持し、また、読取り位置で保持しているＩＣコイン２０の返却、回収動作、読取り位置にＩＣコイン２０がないときには、該読取り位置に装置内で貯留しているＩＣコイン２０を供給するなどの処理を実行する。
【００３０】
ＩＣコインリーダライタ３８は、上述のＩＣコイン処理装置３７の読取り位置に設けられ、ＩＣコイン２０に対して非接触状態でデータの送受信を行って、ＩＣコイン２０のデータの読取りおよび書込みを実行する。
【００３１】
玉貸しボタン３９は、遊技動体の払出しを指示するためにプレーヤが操作し、操作されることにより、払出し信号を制御部３０に出力する。
【００３２】
返却ボタン４０は、プレーヤがプレーを止めてＩＣコイン２０に残価値があるとき、該ＩＣコイン２０の返却を指示するときプレーヤが操作し、操作されることにより、返却信号を制御部３０に出力する。
【００３３】
エラーリセットスイッチ４１は、台間機１２がエラーで動作を停止したとき店員がリセット操作し、操作されることにより、リセット信号を制御部３０に出力する。
【００３４】
紙幣処理装置４２は、ＩＣコイン２０を発行させるために投入された紙幣の真偽判別、金種判別を実行し、真紙幣であって取扱う紙幣、例えば、千円札のみの取り扱いであれば、千円札を判定することにより紙幣を取込むと同時に、その金額データを出力し、それ以外の紙幣であれば返却する。
【００３５】
硬貨処理装置４３は、ＩＣコイン２０を発行させるために投入された硬貨の真偽判別、金種判別を実行し、真硬貨であって取扱う硬貨、例えば、五百円硬貨のみの取り扱いであれば、五百円硬貨を判定することにより該硬貨を取込むと同時に、その金額データを出力し、それ以外の硬貨であれば返却する。
【００３６】
遊技動体払出し装置４４は、パチンコ玉またはメダルの払出しを実行する。    電源装置４５は、外部から供給される電力を動作電力に変換して、各回路装置に供給する。
【００３７】
上述のように構成している台間機１２の制御部３０には、通信インターフェース３４を介して中継機１４が接続され、該中継機１４を介して前述のホストコンピュータ１０にデータの送受信が可能に接続している。
【００３８】
さらに、制御部３０には、Ｉ／Ｏインターフェース３５を介して前述の遊技機１１に接続し、該遊技機１１には遊技動体の払出し情報が送信される。また、Ｉ／Ｏインターフェース３５を介して貨幣搬送装置４６が接続され、該貨幣搬送装置４６は紙幣処理装置４２および硬貨処理装置４３に投入された紙幣や硬貨を回収機１７に回収するために貨幣を回収搬送する。
【００３９】
図７は、中継機１４の制御回路ブロック図を示し、中継機１４を駆動制御する制御部５０は、各種の制御処理、演算処理、判定処理を実行するＣＰＵ５１、各処理を行わせるためのプログラム、当日ＩＤコード、暗号化ロジックなどのセキュリティデータ、認証データなどの必要なデータを記憶し不揮発性で書換え可能なフラッシュＲＯＭ５２、動作に必要なデータを記憶するＲＡＭ５３、ホストコンピュータ１０、または、該ホストコンピュータ１０に繋がる中継機１４と通信可能に接続するホスト用通信インターフェース５４、台間機１２と通信可能に接続する台間機用通信インターフェース５５、各回路装置に対して入出力を接続するＩ／Ｏインターフェース５６、ログデータを記録するコンパクトフラッシュ（登録商標）メモリカード５７により構成している。
【００４０】
上述の制御部５０には、次ぎの回路装置が接続される。すなわち、表示装置５８は、制御部５０の処理状態を表示し、スイッチ操作部５９は表示装置５８の表示内容の指示や、コンパクトフラッシュ（登録商標）メモリカード５７の操作を入力する。電源装置６０は、外部から供給される電力を動作電力に変換して、各回路装置に供給する。
【００４１】
上述のように構成している中継機１４の制御部５０には、ホスト用通信インターフェース５４を介してホストコンピュータ１０、または、該ホストコンピュータ１０に繋がる中継機１４が接続され、該中継機１４を介して前述のホストコンピュータ１０にデータの送受信が可能に接続している。
【００４２】
さらに、制御部５０には、台間機用通信インターフェース５５を介して台間機１２が接続され、該台間機１２に対するデータの送受信が可能に接続している。  上述の中継機１４の制御部５０は、ＩＣコイン２０を認証する認証処理の機能を備えており、この認証処理を行うためにホストコンピュータ１０から送信された認証データ（ユニーク番号、ホール番号、当日ＩＤコードなど）をフラッシュＲＯＭ５２に登録する。すなわち、該ＲＯＭ５２を登録部として利用し、これに認証データを記憶する。
【００４３】
図８は、ＩＣコイン発行機１５の制御回路ブロック図を示し、ＩＣコイン発行機１５を駆動制御する制御部７０は、各種の制御処理、演算処理を実行するＣＰＵ７１、各処理を行わせるためのプログラム、当日ＩＤコード、暗号化ロジックなどのセキュリティデータなどの必要なデータを記憶し不揮発性で書換え可能なフラッシュＲＯＭ７２、動作に必要なデータを記憶するＲＡＭ７３、ホストコンピュータ１０、または、該ホストコンピュータ１０に繋がる中継機１４と通信可能に接続する中継機用通信インターフェース７４、各回路装置に対して入出力を接続するＩ／Ｏインターフェース７５により構成している。
【００４４】
上述の制御部７０には、次ぎの回路装置が接続される。すなわち、表示装置７６は操作案内や、ＩＣコイン２０の発行についての投入金額や釣り銭、発行したＩＣコイン２０の価値など発行についてプレーヤに通知するに必要なデータを表示する。ＩＣコイン発行処理装置７７は貯留しているＩＣコイン２０を１枚ごとに繰出して放出する。
【００４５】
ＩＣコインリーダライタ７８は、上述のＩＣコイン発行処理装置７７の読取り位置に設けられ、発行されるＩＣコイン２０に対して非接触状態でデータの送受信を行って、ＩＣコイン２０のデータの読取りおよび書込みを実行する。
【００４６】
金額選択・取消しボタン７９は、発行するＩＣコイン２０に付与する金額の選択、および発行の取消しの各操作をプレーヤが選択して行う。
【００４７】
紙幣処理装置８０は、ＩＣコイン２０を発行させるために投入された紙幣の真偽判別、金種判別を実行し、真紙幣であれば発行を許容し、偽と判定した時はこれを返却し、さらに、釣り銭を必要とするときは釣り銭処理を実行する。
【００４８】
硬貨処理装置８１は、ＩＣコイン２０を発行させるために投入された硬貨の真偽判別、金種判別を実行し、真硬貨であれば発行を許容し、偽と判定した時はこれを返却し、さらに、釣り銭を必要とするときは釣り銭処理を実行する。
【００４９】
電源装置８２は、外部から供給される電力を動作電力に変換して、各回路装置に供給する。
【００５０】
上述のように構成しているＩＣコイン発行機１５の制御部７０には、中継機用通信インターフェース７４を介してホストコンピュータ１０、または、該ホストコンピュータ１０に繋がる中継機１４が接続され、該中継機１４を介して前述のホストコンピュータ１０にデータの送受信が可能に接続している。
【００５１】
上述のように構成したＩＣコイン発行機１５で発行されるＩＣコイン２０は、発行前の貯留状態では、図５で説明した記録データのうち、データの書換え不可能なシステムエリアに、
ユニーク番号、ホール番号
が記録されており、該ＩＣコイン２０が発行されるとき、データの書換えが可能なデータエリアに、
金額（または度数）、日付（発行日）、当日ＩＤコード、書込み回数、
発行機番号、
のデータのデータが記録され、これらのデータはＩＣコインデータとしてホストコンピュータ１０に中継機１４を介して送信され、ホストコンピュータ１０側ではこれを認証して登録し、さらに、このＩＣコインデータをデータ送信を中継した中継機１４に認証データとして登録して、この認証データをＩＣコイン精算機１６でＩＣコイン２０を精算するとき、その認証処理に利用することができる。
【００５２】
図９は、ＩＣコイン精算機１６の制御回路ブロック図を示し、ＩＣコイン精算機１６を駆動制御する制御部９０は、各種の制御処理、演算処理を実行するＣＰＵ９１、各処理を行わせるためのプログラム、認証データ、当日ＩＤコード、暗号化ロジックなどのセキュリティデータなどの必要なデータを記憶し不揮発性で書換え可能なフラッシュＲＯＭ９２、動作に必要なデータを記憶するＲＡＭ９３、ホストコンピュータ１０、または、該ホストコンピュータ１０に繋がる中継機１４と通信可能に接続する中継機用通信インターフェース９４、各回路装置に対して入出力を接続するＩ／Ｏインターフェース９５により構成している。
【００５３】
上述の制御部９０には、次ぎの回路装置が接続される。すなわち、表示装置９６は操作案内や、ＩＣコイン２０を精算した精算金額など精算についてプレーヤに通知するに必要なデータを表示する。ＩＣコイン処理装置９７は精算のために投入されたＩＣコイン２０を読取り位置に停止させて精算処理した後、回収部に回収する。
【００５４】
ＩＣコインリーダライタ９８は、上述のＩＣコイン処理装置９７の読取り位置に設けられ、精算されるＩＣコイン２０に対して非接触状態でデータの送受信を行って、ＩＣコイン２０のデータの読取りおよび書込みを実行する。
【００５５】
精算・取消しボタン９９は、ＩＣコイン２０の精算処理、および該精算処理の取消しの各操作をプレーヤが選択して行う。
【００５６】
硬貨処理装置１００は、ＩＣコイン２０の精算金を硬貨で放出する。なお、紙幣でも精算が可能であれば紙幣処理装置を並設することもできる。
【００５７】
電源装置１０１は、外部から供給される電力を動作電力に変換して、各回路装置に供給する。
【００５８】
上述のように構成したＩＣコイン精算機１６の制御部９０には、中継機用通信インターフェース９４を介してホストコンピュータ１０、または、該ホストコンピュータ１０に繋がる中継機１４が接続され、該中継機１４を介して前述のホストコンピュータ１０にデータの送受信が可能に接続している。
【００５９】
上述のように構成したＩＣコイン精算機１６でＩＣコイン２０の価値を精算する場合、精算処理前に、該ＩＣコイン２０が正規のＩＣコインであるか否かの認証処理を実行する。
【００６０】
ＩＣコイン２０の発行は、前述のＩＣコイン発行機１５と、台間機１２での発行とがあり、いずれの発行においても、図５で示したように、
ユニーク番号、ホール番号
金額（または度数）、日付（発行日）、当日ＩＤコード、書込み回数、
島番号または発行機番号、
のＩＣコインデータが記録されているので、これらのデータに基づいて認証処理を実行される。
【００６１】
精算するＩＣコイン２０がＩＣコイン発行機１５で発行されたものであれば、このＩＣコイン精算機１５と共用する中継機１４を使用している場合は、ＩＣコイン２０の発行時に、ホストコンピュータ１０から該中継機１４に認証データが送信されて登録されているので、この認証データに基づいて中継機１４が認証処理を実行する。
【００６２】
しかし、精算するＩＣコイン２０が台間機１２で発行されたものであれば、中継機１４には認証データがホストコンピュータ１０から送信されていないので、この分の認証処理はホストコンピュータ１０側で実行する。
【００６３】
図１０は、図１で示したホストコンピュータ１０による遊技データの管理処理の制御動作を示し、開店の準備として、記憶しているデータベースを最適化し（ステップｎ１）、各端末（各台間機１２、中継機１４、ＩＣコイン発行機１５、ＩＣコイン精算機１６など）の接続状態を確認し（ステップｎ２）、各端末に当日ＩＤコードを配信する（ステップｎ３）。
【００６４】
上述のような準備処理が完了すると、次いで端末からの認証要求に対して認証処理を実行する（ステップｎ４）。
【００６５】
この認証処理では、データベースに、図５で示したＩＣコイン２０のＥＥＰＲＯＭ２５のシステムエリアに記録されたユニーク番号、ホール番号と、データエリアの当日ＩＤコードを登録して既に管理しているので、端末から認証要求があると、これらのデータベースに登録して管理されているか否かを判定し、登録が確認できた時は、認証要求のＩＣコイン２０が正規のＩＣコインであることを認証し、また、データベースに登録されていないＩＣコインであると判定したときは、これを認証しない。
【００６６】
認証の結果は、認証要求があった端末に中継機１４を介して送信され、該端末ではその結果に基づいて、処理を実行する。
【００６７】
前述のホストコンピュータ１０の認証処理で認証した場合は、その認証データ、すなわち、ユニーク番号、ホール番号と、データエリアの当日ＩＤコードその他認証要求時に端末側から送信された金額、日付、書込み回数、島番号または発行機番号あるいは精算機番号を認証要求時に中継した中継機１４に登録し、爾後の認証に使用させる（ステップｎ５）。
【００６８】
このような認証処理が端末から要求がある都度実行し、閉店時刻になると管理データの集計処理、および、１日の締めである日次処理を行って（スイップｎ６，ｎ７）、処理を終了する。
【００６９】
図１１は、システムにおけるＩＣコイン２０の認証処理を示し、各端末（各台間機１２、中継機１４、ＩＣコイン発行機１５、ＩＣコイン精算機１６など）、各中継機１４およびホストコンピュータ１０によって実行される。
【００７０】
この例では、端末としては台間機１２について説明する。遊技機１１で遊技を実行する場合、ＩＣコイン２０を用いて遊技動体を払出すが、このＩＣコイン２０の使用には３つの例がある。
【００７１】
その１つは、ＩＣコイン発行機１５で発行したＩＣコイン２０の使用、その２は、台間機１２に貨幣を投入することに基づいて発行するＩＣコイン２０の使用、その３は、台間機１２で既に使用したＩＣコイン２０の価値がなくなり貨幣を投入することに基づき価値を更新して引続き使用（再利用）するＩＣコイン２０であり、上述のいずれの使用状態でもＩＣコイン２０の使用に際しては認証処理を実行する。
【００７２】
上述のＩＣコイン２０の初期状態では、最低限のＩＣコインデータとして、
ユニーク番号、ホール番号、
がシステムエリア（図５参照）に記録されており、台間機１２に貨幣が投入され、あるいは、ＩＣコイン発行機１５で発行したＩＣコイン２０が投入されると、ＩＣコインリーダライタ３８がＩＣコインデータを読取る（ステップｎ１１）。
【００７３】
次にデータチェックを実行するが、このチェックは読取り可否と、ＩＣコイン発行機１５で発行したＩＣコイン２０の場合は当日ＩＤコードが記録されているので、この当日ＩＤコードに基づく判定処理を実行する（ステップｎ１２）。
【００７４】
上述のデータチェックでＮＧであれば、投入貨幣の返却、あるいは投入された時のＩＣコイン２０の返却といった返却処理が実行されるが、データチェックがＯＫであれば、該ＩＣコイン２０の認証要求を上位の機器に出力する（ステップｎ１３）。
【００７５】
上述の認証要求では、ＩＣコインデータが編集され、このデータは既に読取ったデータを含めて、図５で示したＩＣコインデータである。すなわち、
ユニーク番号、      ホール番号、
金額（または度数）、日付（発行日）、当日ＩＤコード、
書込み回数、        島番号（または発行機番号）、
であり、編集されたＩＣコインデータは認証要求と共に、中継機１４に送信される。
【００７６】
中継機１４では、ＩＣコインデータのユニーク番号で認証データが登録されているか検索する（ステップｓ１１）。
【００７７】
ＩＣコイン２０の使用が２回目以降であれば、ホストコンピュータ１０からの認証データの登録はあるが、初回の使用では認証データの登録がないので、初回に使用のＩＣコイン２０に対しては上位機器に認証要求を行うと共に、該ＩＣコイン２０のＩＣコインデータを送信する（ステップｓ１２，ｓ１３）。
【００７８】
一方、ＩＣコイン２０が同じ遊技機１１で２回目以降の使用であれば（または、遊技機１１が異なっていても、接続した中継機１４が同一である場合も同じ）、ホストコンピュータ１０で認証した認証データ、すなわち、認証したＩＣコイン２０のＩＣコインデータが中継機１４に登録されているので、この認証データと認証要求されたＩＣコイン２０のＩＣコインデータとを比較して認証可否を判定して、認証処理を実行する（ステップｓ１４，ｓ１５）
そして、その認証結果を端末に通知して、認証データを更新登録する（ステップｓ１６，ｓ１７）。なお、認証データを更新した時は、この更新認証データを上位のホストコンピュータ１０に送信し、該ホストコンピュータ１０はデータ更新処理を行う（ステップｃ１４）。
【００７９】
前述のステップｓ１３，ｓ１５の認証データなし、または、認証不可で上位機器に認証要求をしたとき、ホストコンピュータ１０は該認証要求のＩＣコイン２０におけるＩＣコインデータの中のユニーク番号によりデータベースを検索して、認証処理を実行する（ステップｃ１１，ｃ１２）。
【００８０】
この認証処理において、ユニーク番号に該当番号がないときは認証不可（ＮＧ）、該当番号があるときは認証ＯＫであって、図５で説明したＩＣコインデータを該当ユニーク番号に登録（記録）し、これを認証データとして認証結果と共に、中継した中継機１４に送信する（ステップｃ１３）。
【００８１】
中継機１４では、認証結果のＮＧ、またはＯＫを送信し、認証結果がＯＫのときは、認証されたＩＣコインデータを認証データとして登録し、２回目以降の使用時に認証データとして使用する。
【００８２】
一方、端末の台間機１２では、認証ＯＫであるとき（ステッフｎ１４）、次の処理が許容されて、ＩＣコイン２０にはＩＣコインデータが記録され、さらに、遊技動体の払出し操作が許容される（ステップｎ１５）。また、認証ＮＧのときは、返却処理、例えば、貨幣の投入があれば貨幣の返却、ＩＣコイン２０の投入があれば、該ＩＣコイン２０の返却を行う（ステップｎ１６）
上述のように、ＩＣコイン２０の認証は、初回ではホストコンピュータ１０側で実行し、この時の認証データを中継機１４に送信して登録し、２回目以降のＩＣコイン２０の使用では中継機１４での認証処理が可能となる。
【００８３】
このように中継機１４で認証処理ができる時は、該認証処理が迅速化され、また、ホストコンピュータ１０の処理負担を低減させることができる。
【００８４】
図１２は、図８で説明したＩＣコイン発行機１５の制御処理動作のフローチャートを示し、これらの図を参照してＩＣコイン発行機１５のＣＰＵ７１の制御処理を説明する。
【００８５】
ＩＣコイン２０の状態をチェックするために、ＩＣコイン発行処理装置７７を呼出し、ＩＣコイン２０が貯留されているか否かをチェックして、ＩＣコイン２０の発行が可能かをチェックし、発行が可能なとき１枚のＩＣコイン２０をＩＣコインリーダライタ７８の読取り位置に繰出す（ステップｎ２１，ｎ２２）。
【００８６】
次いで、ＩＣコイン２０の認証処理を行う（ステップｎ２３）。この認証処理は図１１で説明した処理であって、認証不可であれば、該ＩＣコイン２０を回収し、次のＩＣコイン２０を繰出して再度認証処理を実行する（ステップｎ２４，ｎ２５）。
【００８７】
上述の認証処理がＯＫであれば、この状態でプレーヤが貨幣を投入するまで待機する（ステップｎ２６）。
【００８８】
紙幣処理装置８０または硬貨処理装置８１に貨幣が投入されて金額選択ボタン７９が操作され（ステップｎ２７）、投入金額が確定すると、ＩＣコイン２０のデータが編集されて、すなわち、
ユニーク番号、ホール番号、金額（または度数）、日付（発行日）、
当日ＩＤコード、書込み回数、発行機番号、
のＩＣコインデータはＩＣコインリーダライタ７８でＩＣコイン２０に書込み（ステップｎ２８）、上述のＩＣコインデータは中継機１４、およびホストコンピュータ１０に送信されて、ＩＣコイン２０の発行が通知される（ステップｎ２９）。
【００８９】
このようにして、ＩＣコイン２０に必要なデータが記録されると、該ＩＣコイン２０が放出され（ステップｎ３０）、次の発行に待機する。
【００９０】
図１３は、図６で説明した台間機１２の制御処理動作のフローチャートを示し、これらの図を参照して台間機１２ＣＰＵ３１の制御処理を説明する。
【００９１】
ＩＣコイン２０の状態をチェックするために、ＩＣコイン処理装置３７を呼出し、ＩＣコイン２０が貯留されているか否かをチェックして、ＩＣコイン２０の処理が可能かをチェックし、処理行が可能なとき、貨幣の受付けを許容状態にする（ステップｎ４１，ｎ４２）。
【００９２】
台間機１２に対するＩＣコイン２０の使用には、既に説明したように３つの例がある。
【００９３】
その１つは、ＩＣコイン発行機１５で発行したＩＣコイン２０の使用、その２は、台間機１２に貨幣を投入して発行したＩＣコイン２０の使用、その３は、台間機１２で既に使用しているＩＣコイン２０の価値を更新して引続き使用（再利用）するＩＣコイン２０であり、先ず上述したその１の、ＩＣコイン発行機１５で発行したＩＣコイン２０の使用について説明する。
【００９４】
ＩＣコイン処理装置３７にＩＣコイン２０が投入されると、ＩＣコインリーダライタ３８は、該ＩＣコイン２０のＩＣコインデータを読取り、この読取りデータに基づいて、図１１で既に説明した認証処理を実行する（ステップｎ４３，ｎ４４）。
【００９５】
上述の認証処理で、認証不可であれば（ステップｎ４５）、ＩＣコイン処理装置３７は該ＩＣコイン２０を返却処理し（ステップｎ４６）、上述の認証処理がＯＫであれば、遊技動体の払出しが許容されて玉貸しボタン３９の操作が許容される（ステップｎ４７）。
【００９６】
上述のようにして玉貸しボタン３９の操作が許容された状態で、返却ボタン４０が操作されると、その時のＩＣコイン２０が返却されることを中継機１４を介してホストコンピュータ１０に通知してデータベースを更新すると共に、ＩＣコイン処理装置３７は、ＩＣコイン２０を返却処理する（ステップｎ４８，ｎ４９，ｎ５０）。
【００９７】
また、玉貸しボタン３９が操作されると、ＩＣコイン２０のデータに対して玉貸し分の金額を減算する減算書込み処理をＩＣコインリーダライタ３８が実行し、該減算を行った減算処理データが中継機１４を介してホストコンピュータ１０に通知されててデータベースを更新し、遊技動体払出し装置４４が遊技動体を払出す（ステップｎ５１，ｎ５２，ｎ５３，ｎ５４）。
【００９８】
遊技動体が払出されることにより、遊技機１２による遊技が可能となり、さらに、ＩＣコイン２０の価値がなくなるまで可能となる。
【００９９】
プレーヤの遊技によりＩＣコイン２０の価値、すなわち金額がなくなると（ステップｎ５５）、次のＩＣコイン２０による使用を準備するために、ＩＣコイン処理装置３７におけるＩＣコイン２０の貯留が満杯か否かを判定し（ステップｎ５６）、満杯が判定された時は、今まで使用していたＩＣコイン２０を回収する（ステップｎ５７）。
【０１００】
また、満杯でないときは、該ＩＣコイン２０をデータの読取り位置から貯留部に貯留して、次の処理に待機する（ステップｎ５８）。
【０１０１】
次にＩＣコイン２０の使用の、前述したその２の、台間機１２に貨幣を投入して発行するＩＣコイン２０の使用と、その３の、台間機１２で既に使用したＩＣコイン２０の価値を更新して引続き該ＩＣコイン２０を使用する例についてについて説明する。
【０１０２】
すなわち、ＩＣコインリーダライタ３８の読取り位置にＩＣコイン２０がない状態で紙幣処理装置４２、または硬貨処理装置４３に貨幣が投入されると（ステップｎ５９）、上述したその２、その３のＩＣコイン２０の使用であって、先に使用されたＩＣコイン２０がＩＣコイン処理装置３７の貯留部に存在するか否かを判定し、前回使用のＩＣコイン２０がない場合は、前述のその２の使用であって、台間機１２でＩＣコイン２０を発行して使用する使用状態であり、また、前回使用のＩＣコイン２０がある場合は、前述その３の使用であって、既に使用したＩＣコイン２０に価値を更新して引続きＩＣコイン２０を使用する使用状態である（ステップｎ６０）。
【０１０３】
上述の判定で貯留部に前回使用のＩＣコイン２０がないときは、ＩＣコイン処理装置３７は新たなＩＣコイン２０をＩＣコインリーダライタ３８の読取り位置に繰出し補充し（ステップｎ６１）、また、前回使用のＩＣコイン２０があるときは該ＩＣコイン２０を読取り位置に移動させる。
【０１０４】
次いで上述の読取り位置にあるＩＣコイン２０に対して、図１１で既に説明した認証処理を実行し（ステップｎ６２）、認証ＯＫであると、該認証時のデータすなわち、
ユニーク番号、ホール番号、金額（または度数）、日付（発行日）、
当日ＩＤコード、書込み回数、島番号、
のＩＣコインデータがＩＣコインリーダライタ３８でＩＣコイン２０に書込み（ステップｎ６３）、上述のＩＣコイン２０の発行データは中継機１４、およびホストコンピュータ１０に送信されて、ＩＣコイン２０の発行が通知される（ステップｎ６４）。
【０１０５】
上述の認証処理で、認証ＯＫになれば遊技動体の払出しが許容されて玉貸しボタン３９の操作が許容されて（ステップｎ６５）、その後はステップｎ４７に移行して処理される。
【０１０６】
しかし、上述の状態で、返却ボタン４０が操作されると（ステップｎ６６）、その時のＩＣコイン２０が返却されることを中継機１４を介してホストコンピュータ１０に通知してデータベースを更新すると共に、ＩＣコイン処理装置３７は、ＩＣコイン２０を返却処理する（ステップｎ６７，ｎ６８）。
【０１０７】
なお、前述のステップｎ５７で、使用済みのＩＣコイン２０をＩＣコイン処理装置３７の貯留部に貯留することなく、ＩＣコインリーダライタ３８の読取り位置に待機させ、ステップｎ６０で、この読取り位置にＩＣコイン２０が存在するか否かを判定して処理することもできる。
【０１０８】
また、その３の価値を更新してＩＣコイン２０を使用する場合、１回目の認証処理で、中継機１４に認証データが登録されているので、該中継機１４で認証処理が実行される。
【０１０９】
図１４は、図７で説明した中継機１４の制御処理動作のフローチャートを示し、これらの図を参照して中継機１４のＣＰＵ５１の制御処理を説明する。
【０１１０】
先ず、当日のデータ処理を可能にするためにデータベースを作成し、台間機１２からの認証処理の要求、または、ホストコンピュータ１０からのデータ更新を待機する（ステップｎ７１，ｎ７２）。
【０１１１】
ホストコンピュータ１０から認証データの更新があれば、該認証データの更新を登録する（ステップｎ７３，ｎ７４）。
【０１１２】
台間機１２からの認証要求を受信すると、認証要求のあったＩＣコインデータが正常なデータであるか否かをチェックし（ステップｎ７５）、さらに、該ＩＣコイン２０の認証データが登録されているかを検索判定して（ステップｎ７６）、登録が判定された時は、図１１で既に説明したように認証処理を実行し（ステップｎ７７）、その認証結果を認証要求した台間機１２に通知する（ステップｎ７８）。
【０１１３】
一方、前述のステップｎ７６で、認証データが登録されていないと判定した時、認証要求をホストコンピュータ１０に行い、該ホストコンピュータ１０から認証結果があれば、その認証データを登録して（ステップｎ７９，ｎ８０，ｎ８１）、認証結果を認証要求のあった台間機１２に通知する（ステップｎ７８）。
【０１１４】
上述のように、台間機１２から認証要求があった時、中継機１４に認証データが登録されていると、該中継機１４で認証処理を実行するので、ホストコンピュータ１０の負担を低減することができる。
【０１１５】
図１５は、図９で説明したＩＣコイン精算機１６の制御処理動作のフローチャートを示し、これらの図を参照してＩＣコイン精算機１６のＣＰＵ９１の制御処理を説明する。
【０１１６】
ＩＣコインの状態をチェックするために、ＩＣコイン処理装置９７を呼出し、ＩＣコイン２０が回収可能か否かをチェックして、ＩＣコイン２０の回収が可能であれば、精算されるＩＣコイン２０の投入を待つ（ステップｎ９１，ｎ９２）。
【０１１７】
次いで、精算のためにＩＣコイン２０がＩＣコイン処理装置９７に投入されると、該ＩＣコイン２０のＩＣコインデータをＩＣコインリーダライタ９８が読取って、認証処理を行う（ステップｎ９３）。この認証処理は図１１で説明した処理であって、認証不可であれば、表示装置９６に精算不可を表示して、該ＩＣコイン２０を返却する（ステップｎ９５，ｎ９６）。
【０１１８】
上述の認証処理がＯＫであれば、精算ボタン９９が操作されることで、ＩＣコイン２０の残価値を硬貨処理装置９７により払出して精算し（ステップｎ９８，ｎ９９）、次いでＩＣコインリーダライタ９８が価値を零にしてＩＣコインデータを更新する（ステップｎ１００）。
【０１１９】
精算した精算データは中継機１４を介してホストコンピュータ１０に通知して、そのデータベースを更新させ（ステップｎ１０１）、ＩＣコイン処理装置９７はＩＣコイン２０を回収して（ステッフｎ１０２）、精算処理を終了する。
【０１２０】
なお、精算されるＩＣコイン２０がその発行時に同じ中継機１４を中継に使用しているときは、中継機１４での認証処理が実行される。
【０１２１】
前述の台間機１２の処理において、ＩＣコイン２０を再利用する場合、その認証処理を中継機１４で実行しているが、他の例としては、１回目の使用時の認証処理の認証データを台間機１２側にも保存（記憶）しておき、ＩＣコイン２０の再利用時には、保存した認証データに基づいて台間機１２側で認証処理を実行することもできる。この場合は中継機１４の認証処理を低減することができる。
【０１２２】
この発明の構成と、上述の実施例の構成との対応において、
この発明の情報記録媒体は、実施例のＩＣコイン２０に対応し、
以下同様に、
情報記録媒体処理装置は、台間機１２のＩＣコインリーダライタ３８、ＩＣコイン発行機１５のＩＣコインリーダライタ７８、ＩＣコイン精算機１６のＩＣコインリーダライタ９８に対応し、
情報管理装置は、ホストコンピュータ１０に対応し、
登録部は、中継機１４のフラッシュＲＯＭ５２に対応し、
判定部は、中継機１４のＣＰＵ５１に対応するも、この発明は上述の実施例の構成のみに限定されるものではなく、多くの実施の形態を得ることができる。
【図面の簡単な説明】
【図１】  遊技情報管理システムを示す構成図。
【図２】  ＩＣコインの平面図。
【図３】  ＩＣコインの断面図。
【図４】  ＩＣモジュールの回路構成を示すブロック図。
【図５】  ＩＣコインに記録されたデータの説明図。
【図６】  台間機の制御回路ブロック図。
【図７】  中継機の制御回路ブロック図。
【図８】  ＩＣコイン発行機の制御回路ブロック図。
【図９】  ＩＣコイン精算機の制御回路ブロック図。
【図１０】  ホストコンピュータの制御フローチャート。
【図１１】  認証処理の制御フローチャート。
【図１２】  ＩＣコイン発行機の制御フローチャート。
【図１３】  台間機の制御フローチャート。
【図１４】  中継機の制御フローチャート。
【図１５】  ＩＣコイン精算機の制御フローチャート。
【符号の説明】
１０…ホストコンピュータ
１２…台間機
１４…中継機
１５…ＩＣコイン発行機
１６…ＩＣコイン精算機
２０…ＩＣコイン
３０，５０，７０，９０…制御部
３１，５１，７１，９１…ＣＰＵ
３７，９７…ＩＣコイン処理装置
７７…ＩＣコイン発行処理装置
３８，７８，９８…ＩＣコインリーダライタ
【図１】
0004581218.tif 000002
【図２】
0004581218.tif 000003
【図３】
0004581218.tif 000004
【図４】
0004581218.tif 000005
【図５】
0004581218.tif 000006
【図６】
0004581218.tif 000007
【図７】
0004581218.tif 000008
【図８】
0004581218.tif 000009
【図９】
0004581218.tif 000010
【図１０】
0004581218.tif 000011
【図１１】
0004581218.tif 000012
【図１２】
0004581218.tif 000013
【図１３】
0004581218.tif 000014
【図１４】
0004581218.tif 000015
【図１５】
0004581218.tif 000016